(57)【要約】【課題】  前方が開口する本体部と、この開口を開閉する開閉扉を有し、この開閉扉が、これを開いた際に邪魔にならない家具を提供する。【解決手段】  天板２と底板３を有し、天板２と底板３との間に一対の側板４，４を設け、天板２と底板３間に少なくとも一つの開閉扉１０を開閉可能に設け、前記開閉扉１０を、前記側板４の外側方において、前記開閉扉１０が前記天板２及び底板３の少なくとも前端部の側面２ａ，３ａより外側に突出しないように収納することができる家具。【選択図】  図５
2015211714.tif 000002
【特許請求の範囲】
【請求項１】
天板と底板を有し、天板と底板との間に一対の側板を設け、
天板と底板間に少なくとも一つの開閉扉を開閉可能に設け、
前記開閉扉を、前記側板の外側方において、前記開閉扉が前記天板及び底板の少なくとも前端部の側面より外側に突出しないように収納することができるようにしたことを特徴とする家具。
【請求項２】
前記側板の前端よりも前方でかつ左右方向の外側の回転軸を中心に回動可能な柱を設け、該柱に前記開閉扉を固設したことを特徴とする請求項１記載の家具。
【請求項３】
前記開閉扉は、前記天板と底板と側板の外面で囲まれた収納空間内に収納することができ、該収納空間内に前記開閉扉を収納した際に、該開閉扉は、前記天板及び底板より外側に突出しないことを特徴とする請求項２記載の家具。
【請求項４】
前記開閉扉は、折り畳み可能に形成され、折り畳んだ状態で、前記収納空間内に収納することができ、該収納空間内に前記開閉扉を収納した際に、夫々の扉が、前記天板及び底板より外側に突出しないことを特徴とする請求項３記載の家具。
【請求項５】
前記家具は、仏壇であることを特徴とする請求項１乃至４の何れか１項に記載の家具。
【発明の詳細な説明】
【技術分野】
【０００１】
本発明は、家具、さらに詳しくは、開閉扉を有する家具に関する。
【背景技術】
【０００２】
従来、前方が開口する本体部を有し、この本体部の開口部側の側端に設けたヒンジを介して開閉扉を設けることにより、開閉扉を開閉可能に設けた家具が知られている（例えば、特許文献１参照）。
【先行技術文献】
【特許文献】
【０００３】
【特許文献１】特開２００４−１１３７４２号公報
【発明の概要】
【発明が解決しようとする課題】
【０００４】
前記従来技術の家具における開閉扉は、開閉扉の側面の本体部側端と、本体部の側面における開口部側端とをヒンジで連結して取り付けていることにより、開閉扉を１８０°開いた際に、開閉扉の側面が、本体部の側面に当接し、開閉扉は１８０°以上開くことができなかった。
【０００５】
そのため、開閉扉を全開した際に、開閉扉が本体部の天板の側面より側方もしくは前方に突出し、開閉扉が邪魔になるという問題があった。
【０００６】
そこで、本発明は、前記問題点を解決した家具を提供することを目的とするものである。
【課題を解決するための手段】
【０００７】
前記の課題を解決するために、請求項１記載の発明は、天板と底板を有し、天板と底板との間に一対の側板を設け、
天板と底板間に少なくとも一つの開閉扉を開閉可能に設け、
前記開閉扉を、前記側板の外側方において、前記開閉扉が前記天板及び底板の少なくとも前端部の側面より外側に突出しないように収納することができるようにしたことを特徴とするものである。
【０００８】
請求項２記載の発明は、請求項１記載の発明において前記側板の前端よりも前方でかつ左右方向の外側の回転軸を中心に回動可能な柱を設け、該柱に前記開閉扉を固設したことを特徴とするものである。
【０００９】
請求項３記載の発明は、請求項２記載の発明において、前記開閉扉は、前記天板と底板と側板の外面で囲まれた収納空間内に収納することができ、該収納空間内に前記開閉扉を収納した際に、該開閉扉は、前記天板及び底板より外側に突出しないことを特徴とするものである。
【００１０】
請求項４記載の発明は、請求項３記載の発明において、前記開閉扉は、折り畳み可能に形成され、折り畳んだ状態で、前記収納空間内に収納することができ、該収納空間内に前記開閉扉を収納した際に、夫々の扉が、前記天板及び底板より外側に突出しないことを特徴とするものである。
【００１１】
請求項５記載の発明は、請求項１乃至４の何れか１項に記載の発明において、前記家具は、仏壇であることを特徴とするものである。
【発明の効果】
【００１２】
本発明によれば、開閉扉を、前記側板の側方において、開閉扉が前記天板と底板の前端部の側面より外側に突出しないように収納することができるようにしたことにより、前記従来技術のように開閉扉を開いた際に邪魔になることがないとともに、外観の美観を向上させることができる。
【図面の簡単な説明】
【００１３】
【図１】本発明の実施例１を示す仏壇の開閉扉を全閉した状態の正面図。
【図２】図１の斜視図。
【図３】図１の状態から開閉扉を開いた状態の斜視図。
【図４】開閉扉を全開にした状態の正面図。
【図５】図４の前方から見た斜視図。
【図６】図４の後方から見た斜視図。
【図７】図１の横断面図。
【図８】図７の状態から左右の開閉扉を前方に開いた状態の横断面図。
【図９】図８の状態から左右の開閉扉を更に開くとともに、折り畳んだ状態の横断面図。
【図１０】図９の状態から左右の開閉扉を更に開方向に回動させた状態の横断面図。
【図１１】図１０の状態から左右の開閉扉を更に開き、左右の開閉扉を収納空間内に収納した状態の横断面図。
【発明を実施するための形態】
【００１４】
本発明を仏壇に適用した実施例を図に基づいて説明する。
【００１５】
図１は、開閉扉を閉じた状態の仏壇１の正面図、図２は、仏壇１の斜視図である。
【００１６】
仏壇１は、天板２と底板３を有し、天板２と底板３間の横方向の両側部には左右の側板４，４が設けられ、天板２と底板３間の後部には裏板５が設けられている。天板２、底板３、左右の側板４，４、裏板５により箱状の本体部１１が形成され、図３〜図５に示すように、本体部１１の前面１１ａは開口し、内部には収納室１１ｂが形成されている。
【００１７】
左右の側板４，４は、図６に示すように、天板２及び底板３の左右両側面２ａ，３ａよりも内側に位置するように配置され、天板２及び底板３の両側部には、側板４の外面４ａよりも外側に突出する突出部２ｂ，３ｂが設けられている。天板２と底板３と側板４の外面４ａにより囲まれた、少なくとも横（左右）方向の外側が開口する収納空間１２が形成され、収納空間１２内に、後述する折り畳んだ状態の開閉扉１０を、天板２と底板３の側面２ａ，３ａ及び後面よりも外側方向に突出しないように収納することができるようになっている。
【００１８】
また、天板２及び底板３の前方の少なくとも両側部には、図３に示すように、本体部１１の前面１１ａよりも前側に突出する突出部２ｃ，３ｃが設けられている。
【００１９】
図４〜図１１に示すように、左右の夫々側板４，４の前端である前面４ｂ，４ｂよりも前方で、かつ、左右横方向の外側、すなわち、天板２の突出部２ｂと２ｃの交差部と、底板３の突出部３ｂと３ｃの交差部に位置して上下方向に設けた回転軸６ａ，６ａを有する柱６，６が、天板２と底板３間に設けられており、柱６，６は、回転軸６ａ，６ａを中心として回動できるようになっている。左右の柱６，６は、図２，図７〜図１１に示すように、断面が正方形の四角柱状に形成されている。また、柱６は、図７〜１１に示すように、側板４と干渉することなく２７０°回動できるようになっている。
【００２０】
左右夫々の柱６，６には、図７〜図１１に示すように、外側扉７，７が一体に設けられている。また、図７に示すように、外側扉７，７を閉じた状態における左右の外側扉７，７の内側には、内側扉８，８が連接されている。また、図９に示すように、外側扉７の本体側面における内側扉側端部と、内側扉８の本体側面における外側扉側端部間にはヒンジ９が設けられ、このヒンジ９により外側扉７と内側扉８は折り畳み可能に連結されている。左右夫々における外側扉７、内側扉８、ヒンジ９で折り戸状の開閉扉１０を構成し、左右の開閉扉１０，１０は、観音開きできるようになっている。
【００２１】
図７に示すように、外側扉７と内側扉８の厚みは略同じに設定され、また、その厚みは、柱６の厚みの約１／２に設定されている。これにより、図１１に示すように、内側扉８を外側扉７に重なるように折り畳んだ状態で、開閉扉１０の厚みが柱６の厚みとほぼ同じとなる。
【００２２】
本体部１１の収納室１１ｂ内には仏具等が収納できる複数の棚板１３が設けられ、最下部に設けた棚板１３ａは前方に出し入れ可能に設けられている。
【００２３】
次に開閉扉１０の開閉方法について説明する。
【００２４】
図１，２，７に示すように、開閉扉１０により本体部１１の前面１１ａの開口部を閉塞した状態から、図８の矢印Ａで示すように、左右の開閉扉１０，１０を、折り畳まずに、夫々回転軸６ａ，６ａを中心として前方に回動させて開く。
【００２５】
次に、図９の矢印Ｂで示すように、左右の内側扉８，８を、外側扉７，７の裏面側に折り畳む。
【００２６】
次に、図１０の矢印Ｃで示すように、開閉扉１０を折り畳んだ状態で、外側方向に回動させ、更に、図１１の矢印Ｄで示すように回動して、外側扉７と内側扉８を重ね合わせた状態で、開閉扉１０を収納空間１２内に天板２及び底板３の側面よりも外側及び後方に突出しないように収納する。
【００２７】
開閉扉１０を開いて収納空間１２内に収納した際には、図４に示すように、仏壇１の前方からは柱６のみが視認でき、開閉扉１０は視認することができず、仏壇１は開閉扉１０を有しない箱状のように見え、その外観の美観を向上させることができる。
【００２８】
また、開閉扉１０を収納空間１２内に収納した際には、開閉扉１０が前記従来技術の仏壇のように、前方や側方に飛び出すことがなく、開閉扉１０が邪魔にならない。
【００２９】
また、外側扉７の本体側面における内側扉側端部と、内側扉８の本体側面における外側扉側端部間にヒンジ９を設けたことにより、開閉扉１０を全閉した際、若しくは、折り畳んだ際に、ヒンジ９と外側扉７又は内側扉８との連結部が視認できず、外観の美観がを向上させることができる。
【００３０】
また、開閉扉１０を折り畳んだ状態で収納空間１２内に収納できるようにしたことにより、本体部１１の奥行きが横幅の１／２以下である場合においても、開閉扉１０を収納空間１２内に収納することができる。
【００３１】
［その他の実施例］
前記実施例１では、開閉扉１０を左右に２つ設けて観音開きとしたが、左右の開閉扉１０，１０の何れか１つのみの片開きとして、本体部１１の前面１１ａを開閉するようにしてもよい。
【００３２】
また、前記実施例１では、開閉扉１０を、外側扉７と内側扉８の２枚で構成したが、折り畳みしない一枚で構成してもよいし、３枚以上で折り畳み可能に構成するようにしてもよい。
【００３３】
また、前記実施例１では、開閉扉１０を収納空間１２内に収納した状態において、開閉扉１０を天板２及び底板３の側面と後面より外側方向に突出しないようにしたが、開閉扉１０を収納空間１２内に収納した状態において、少なくとも天板２と底板３の前端部の側面が開閉扉１０よりも外側に位置すれば、開閉扉１０の他の部分は天板２又は底板３の側面よりも外側に位置するようにしてもよい。そのように形成しても、前記実施例１と同様に、仏壇１を前方から見た際に箱状のように見せることができる。
【００３４】
また、前記実施例１は、本発明を仏壇に適用した実施例であるが、本発明は、仏壇以外にも、本体部の開口部を開閉可能に設けた開閉扉を有する家具であれば、任意の家具に適用することができる。例えば、通常は開閉扉を閉じて光を遮断し、必要なときのみ開閉扉を開いて内部に収納した美術品やコレクション等を鑑賞するための収納庫や陳列ケース、道具の収納庫、工作物と道具を収納するとともに内部で加工作業等を行うことができる保管庫等に適用することができる。
【符号の説明】
【００３５】
１  仏壇
２  天板
３  底板
４  側板
４ａ  側板の外面
６  柱
６ａ  回転軸
１０  開閉扉
１２  収納空間
【図１】
2015211714.tif 000003
【図２】
2015211714.tif 000004
【図３】
2015211714.tif 000005
【図４】
2015211714.tif 000006
【図５】
2015211714.tif 000007
【図６】
2015211714.tif 000008
【図７】
2015211714.tif 000009
【図８】
2015211714.tif 000010
【図９】
2015211714.tif 000011
【図１０】
2015211714.tif 000012
【図１１】
2015211714.tif 000013